(57)【要約】  【課題】  光電素子又は光学素子の交換作業を従来より容易化することができる光ヘッド装置を提供する。  【解決手段】  光ヘッド装置１０は、レーザ光源１２、１６と、レーザ光源１２、１６からの出射光が入射されるフロントモニタ１７と、フロントモニタ１７が搭載されたフレーム２０と、フロントモニタ１７を面１８ａに搭載したハード基板１８とを有し、ハード基板１８は、面１８ａがフロントモニタ１７を中心にしたその両端部である端部１８ｃ、１８ｄにおいてフレーム２０に当接するとともに、面１８ａとは反対側の面１８ｂが端部１８ｃ、１８ｄより内側の内側部１８ｅにおいてフレーム２０に当接することにより弾性変形させられ、その弾性変形による復帰力によりフレーム２０に保持されたことを特徴とする。【選択図】  図１
2008146758.tif 000002
【特許請求の範囲】
【請求項１】
レーザ光源と、前記レーザ光源からの出射光が入射される光電素子と、前記レーザ光源からの出射光を前記光電素子に導く光学素子と、前記光電素子及び前記光学素子が搭載されたフレームとを有する光ヘッド装置において、
前記光電素子又は前記光学素子を一方の面に搭載した補強板を有し、
前記補強板は、前記一方の面と、前記一方の面とは反対側の他方の面との何れか一方側が、前記光電素子又は前記光学素子を中心にしたその両端部において前記フレームに当接するとともに、前記一方の面と、前記他方の面との何れか他方側が、前記両端部より内側の内側部において前記フレームに当接することにより弾性変形させられ、その弾性変形による復帰力により前記フレームに保持されたことを特徴とする光ヘッド装置。
【請求項２】
前記一方側は、前記一方の面であって、
前記内側部は、前記補強板において前記光電素子又は前記光学素子の幅方向の中央を外れた位置にあることを特徴とする請求項１に記載の光ヘッド装置。
【請求項３】
前記補強板は、前記光電素子に導電接続されたＦＰＣが搭載されていることを特徴とする請求項１又は請求項２に記載の光ヘッド装置。
【請求項４】
前記補強板は、表面に導電パターンが形成されたハード基板であることを特徴とする請求項１から請求項３までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクに対する情報の記録及び再生に用いられる光ヘッド装置に関する。
【背景技術】
【０００２】
レーザ光源と、レーザ光源からの出射光が入射される受光素子と、レーザ光源からの出射光を受光素子に導くプリズムと、プリズムが搭載された装置フレームとを有する光ヘッド装置において、装置フレームに対してプリズムを、ＵＶ（Ｕｌｔｒａ  Ｖｉｏｌｅｔ）硬化型接着剤などの剥離が困難である接着剤によってフレームに固定するものが知られている（例えば、特許文献１参照。）。
【特許文献１】特開２００５−４３４３４号公報
【発明の開示】
【発明が解決しようとする課題】
【０００３】
しかしながら、従来の光ヘッド装置においては、剥離が困難である接着剤によってプリズムを装置フレームに固定するので、装置フレームからプリズムを取り外すことが困難である。したがって、従来の光ヘッド装置においては、装置フレームからプリズムを取り外してプリズムを交換することが困難であるという問題がある。
【０００４】
本発明は、従来の問題を解決するためになされたもので、プリズム等の光学系を構成する光学素子の交換作業を従来より容易化することができる光ヘッド装置を提供することを目的とする。
【課題を解決するための手段】
【０００５】
本発明の光ヘッド装置は、レーザ光源と、前記レーザ光源からの出射光が入射される光電素子と、前記レーザ光源からの出射光を前記光電素子に導く光学素子と、前記光電素子及び前記光学素子が搭載されたフレームとを有する光ヘッド装置において、前記光電素子又は前記光学素子を一方の面に搭載した補強板を有し、前記補強板は、前記一方の面と、前記一方の面とは反対側の他方の面との何れか一方側が、前記光電素子又は前記光学素子を中心にしたその両端部において前記フレームに当接するとともに、前記一方の面と、前記他方の面との何れか他方側が、前記両端部より内側の内側部において前記フレームに当接することにより弾性変形させられ、その弾性変形による復帰力により前記フレームに保持されたことを特徴とする。
【０００６】
この構成により、本発明の光ヘッド装置は、フレームから補強板を従来より容易に取り外すことが可能であるので、補強板に搭載された光電素子又は光学素子の交換作業を従来より容易化することができる。
【０００７】
また、本発明の光ヘッド装置の前記一方側は、前記一方の面であって、前記内側部は、前記補強板において前記光電素子又は前記光学素子の幅方向の中央を外れた位置にあることが好ましい。
【０００８】
この構成により、本発明の光ヘッド装置は、フレームと当接している補強板の内側部が補強板において光電素子又は光学素子の幅方向の中央である場合と比較して、補強板の弾性変形による光電素子又は光学素子の変形を抑制することができるので、光電素子又は光学素子の光学特性の低下を抑制することができる。しかも、本発明の光ヘッド装置は、光電素子が補強板に搭載されている場合には、補強板の弾性変形によって補強板と光電素子とのハンダ接続部に応力がかかることを抑制することができる。
【０００９】
また、本発明の光ヘッド装置の前記補強板は、前記光電素子に導電接続されたＦＰＣが搭載されていることが好ましい。
【００１０】
この構成により、本発明の光ヘッド装置は、フレームに不良があるなど、補強板やＦＰＣ以外の部分に不良がある場合に、ＦＰＣが搭載された高価で付加価値の大きい補強板をフレームから取り外して再利用することができる。
【００１１】
また、本発明の光ヘッド装置の前記補強板は、表面に導電パターンが形成されたハード基板であることが好ましい。
【００１２】
この構成により、本発明の光ヘッド装置は、補強板の両端部を補強板の厚み方向の両側から挟み込んでフレームに圧入することによってフレームに補強板を固定する構成と比較して、フレームに固定することができる補強板の厚みの許容範囲が大きいので、ハード基板の厚みの加工精度が低い場合であっても対応することができる。
【発明の効果】
【００１３】
本発明によれば、光電素子又は光学素子の交換作業を従来より容易化することができる光ヘッド装置を提供することができる。
【発明を実施するための最良の形態】
【００１４】
以下、本発明の一実施の形態について、図面を用いて説明する。
【００１５】
まず、本実施の形態に係る光ヘッド装置の構成について説明する。
【００１６】
図１は、本実施の形態に係る光ヘッド装置１０の平面図である。図２は、光ヘッド装置１０の一部の平面図であって、フロントモニタ１７の近傍の図である。
【００１７】
図１及び図２に示すように、本実施の形態に係る光ヘッド装置１０は、図示していない光記録ディスクから情報を読み出すためのレーザ光を出射するレーザ光源１２、１６と、レーザ光源１２によって出射されたレーザ光を反射させて、光記録ディスクによって反射された反射光を透過する光学素子であるハーフミラー１３と、ハーフミラー１３を介して到達したレーザ光源１２のレーザ光の反射及びレーザ光源１６によって出射された出射光の透過を行う光学素子であるハーフミラー１４と、ハーフミラー１３を介してハーフミラー１４に到達してハーフミラー１４によって反射されたレーザ光を立ち上げる光学素子である立ち上げミラー１５と、立ち上げミラー１５によって立ち上げられたレーザ光を光記録ディスクの記録面に集光する光学素子である図示していない対物レンズと、光記録ディスクによって反射されて対物レンズ、立ち上げミラー１５及びハーフミラー１４を介して到達したレーザ光を検出する光電素子である検出光電素子１１と、ハーフミラー１３を介してハーフミラー１４に到達してハーフミラー１４を透過したレーザ光をレーザ光源１２、１６のフィードバック制御のために検出する光電素子であるフロントモニタ１７と、フロントモニタ１７を一方の面１８ａに搭載した補強板であって表面に導電パターンが形成されたガラスエポキシ樹脂製のハード基板１８と、レーザ光源１２、１６、検出光電素子１１及びフロントモニタ１７に導通接続されたＦＰＣ（Ｆｌｅｘｉｂｌｅ  Ｐｒｉｎｔｅｄ  Ｃｉｒｃｕｉｔ）１９と、レーザ光源１２、１６、ハーフミラー１３、１４、立ち上げミラー１５、対物レンズ、検出光電素子１１、フロントモニタ１７、ハード基板１８、ＦＰＣ１９を搭載したフレーム２０とを備えている。
【００１８】
ハード基板１８は、一方の面１８ａと、面１８ａとは反対側の他方の面１８ｂとの一方側である面１８ａがフロントモニタ１７を中心にしたその両端部である端部１８ｃ、１８ｄにおいてフレーム２０に当接している。また、ハード基板１８は、面１８ａと、面１８ｂとの他方側である面１８ｂが端部１８ｃ、１８ｄより内側の内側部１８ｅにおいてフレーム２０に当接している。ハード基板１８は、端部１８ｃ、１８ｄと、内側部１８ｅとにおいてフレーム２０に当接することにより弾性変形させられ、その弾性変形による復帰力によりフレーム２０に保持されている。なお、内側部１８ｅは、ハード基板１８においてフロントモニタ１７の外形を外れて端部１８ｃ寄りの位置にある。
【００１９】
ＦＰＣ１９は、ハード基板１８の面１８ａに導通接続されている。
【００２０】
図３は、フレーム２０の一部の平面図である。図４は、フレーム２０の一部の斜視図である。
【００２１】
図３及び図４に示すように、フレーム２０は、ハード基板１８（図２参照。）の厚み方向とは直交する幅方向の位置合わせを行うために互いに対向した壁面２０ａ、２０ｂと、壁面２０ａ、２０ｂとは直交してハード基板１８の面１８ａ（図２参照。）の端部１８ｃ、１８ｄ（図２参照。）と当接する壁面２０ｃ、２０ｄと、壁面２０ｃ、２０ｄが向いている向きとは反対の向きに突出してハード基板１８の面１８ｂ（図２参照。）の内側部１８ｅ（図２参照。）と当接する弧状突起２０ｅとを有している。弧状突起２０ｅは、壁面２０ａ、２０ｂと、壁面２０ｃ、２０ｄとの双方に平行な方向に延在している半円柱状の突起である。弧状突起２０ｅの矢印２０ｆで示す突出方向における壁面２０ｃ、２０ｄと、弧状突起２０ｅとの距離２０ｇは、ハード基板１８の厚みより短くなっている。
【００２２】
なお、ハード基板１８の端部１８ｃ、１８ｄと、フレーム２０の壁面２０ｃ、２０ｄとは、容易に剥離可能な接着剤によって固定されている。
【００２３】
次に、フレーム２０へのハード基板１８の取り付けについて説明する。
【００２４】
フロントモニタ１７及びＦＰＣ１９が搭載されたハード基板１８は、フレーム２０の壁面２０ａ、２０ｂによって幅方向の位置合わせが行われながら、壁面２０ａ、２０ｂと、壁面２０ｃ、２０ｄとの双方に平行な方向に移動させられ、壁面２０ｃ、２０ｄと、弧状突起２０ｅとの間に圧入される。
【００２５】
ここで、弧状突起２０ｅの矢印２０ｆで示す突出方向における壁面２０ｃ、２０ｄと、弧状突起２０ｅとの距離２０ｇがハード基板１８の厚みより短くなっているので、ハード基板１８は、面１８ａの端部１８ｃ、１８ｄでフレーム２０の壁面２０ｃ、２０ｄと当接し、面１８ｂの内側部１８ｅでフレーム２０の弧状突起２０ｅと当接することによって、面１８ａ側が凸状となるように弾性変形させられ、その弾性変形による復帰力によりフレーム２０に保持される。
【００２６】
そして、ハード基板１８の端部１８ｃ、１８ｄと、フレーム２０の壁面２０ｃ、２０ｄとは、容易に剥離可能な接着剤が付けられて固定される。
【００２７】
次に、フレーム２０からのハード基板１８の取り外しについて説明する。
【００２８】
ハード基板１８は、壁面２０ａ、２０ｂと、壁面２０ｃ、２０ｄとの双方に平行な方向に移動させられ、フレーム２０の壁面２０ｃ、２０ｄと、弧状突起２０ｅとの間から引き出される。
【００２９】
ここで、ハード基板１８の端部１８ｃ、１８ｄと、フレーム２０の壁面２０ｃ、２０ｄとを固定している接着剤は、容易に剥離可能であるので、フレーム２０からのハード基板１８の取り外しの妨げにはならない。
【００３０】
以上に説明したように、光ヘッド装置１０は、ハード基板１８の弾性変形による復帰力によりハード基板１８がフレーム２０に保持されているので、フレーム２０からハード基板１８を従来より容易に取り外すことが可能である。したがって、光ヘッド装置１０は、ハード基板１８に搭載されたフロントモニタ１７の交換作業を従来より容易化することができる。その結果、光ヘッド装置１０は、フロントモニタ１７の交換にかかる作業時間を従来より短縮することができるので、製造コストを従来より低減することができる。
【００３１】
また、光ヘッド装置１０は、ハード基板１８の弾性変形による復帰力によりハード基板１８がフレーム２０に保持されるので、フレーム２０にフロントモニタ１７を従来のようにＵＶ硬化型接着剤などの剥離が困難である接着剤で固定する構成と比較して、フレーム２０へのフロントモニタ１７の固定にかかる作業時間を短縮することができる。したがって、光ヘッド装置１０は、製造コストを従来より低減することができる。
【００３２】
また、光ヘッド装置１０は、フレーム２０へのフロントモニタ１７の固定にＵＶ硬化型接着剤を使用しないので、フレーム２０へのフロントモニタ１７の固定のためにＵＶ照射器を用意する必要がない。したがって、光ヘッド装置１０は、フレーム２０へのフロントモニタ１７の固定にＵＶ硬化型接着剤を使用する構成と比較して、製造コストを低減することができる。
【００３３】
また、光ヘッド装置１０は、フレーム２０と当接しているハード基板１８の内側部１８ｅがハード基板１８においてフロントモニタ１７の幅方向の中央１７ａ（図２参照。）を外れた位置にあるので、内側部１８ｅがハード基板１８においてフロントモニタ１７の幅方向の中央１７ａである場合と比較して、ハード基板１８の弾性変形によるフロントモニタ１７の変形を抑制することができるので、フロントモニタ１７の光学特性の低下を抑制することができる。しかも、光ヘッド装置１０は、フロントモニタ１７と、ハード基板１８の弾性変形によってハード基板１８とのハンダ接続部２１（図２参照。）に応力がかかることを抑制することができる。
【００３４】
また、光ヘッド装置１０は、ハード基板１８がＦＰＣ１９を搭載しているので、フレーム２０に不良があるなど、ハード基板１８やＦＰＣ１９以外の部分に不良がある場合に、ＦＰＣ１９が搭載された高価で付加価値の大きいハード基板１８をフレーム２０から取り外して再利用することができる。
【００３５】
また、光ヘッド装置１０は、ハード基板１８の端部１８ｃ、１８ｄをハード基板１８の厚み方向の両側から挟み込んでフレーム２０に圧入することによってフレーム２０にハード基板１８を固定する構成と比較して、フレーム２０に固定することができるハード基板１８の厚みの許容範囲が大きいので、ハード基板１８の厚みの加工精度が低い場合であっても対応することができる。
【００３６】
なお、ハード基板１８は、本実施の形態において面１８ａがフロントモニタ１７を中心にしたその両端部である端部１８ｃ、１８ｄにおいてフレーム２０に当接するとともに、面１８ｂが端部１８ｃ、１８ｄより内側の内側部１８ｅにおいてフレーム２０に当接することにより弾性変形させられ、その弾性変形による復帰力によりフレーム２０に保持されているが、面１８ｂがフロントモニタ１７を中心にしたその両端部においてフレーム２０に当接するとともに、面１８ａが両端部より内側の内側部においてフレーム２０に当接することにより弾性変形させられ、その弾性変形による復帰力によりフレーム２０に保持されるようになっていても良い。
【００３７】
また、ハード基板１８は、本実施の形態においてＦＰＣ１９が搭載されているが、ＦＰＣが搭載されていなくても良い。
【００３８】
また、補強板は、本実施の形態においてハード基板１８であるが、ハード基板１８以外のものであっても良い。例えば、補強板は、導電パターンが形成されていない板であっても良い。
【００３９】
また、補強板は、本実施の形態において光電素子であるフロントモニタ１７を搭載しているが、フロントモニタ１７に代えて、フロントモニタ１７以外の光電素子を搭載していても良いし、レンズなどの光学素子を搭載していても良い。
【図面の簡単な説明】
【００４０】
【図１】本発明の一実施の形態に係る光ヘッド装置の平面図である。
【図２】図１に示す光ヘッド装置の一部の平面図であって、フロントモニタの近傍の図である。
【図３】図１に示す光ヘッド装置のフレームの一部の平面図である。
【図４】図１に示す光ヘッド装置のフレームの一部の斜視図である。
【符号の説明】
【００４１】
１０  光ヘッド装置
１１  検出光電素子（光電素子）
１２、１６  レーザ光源
１３、１４  ハーフミラー（光学素子）
１５  立ち上げミラー（光学素子）
１７  フロントモニタ（光電素子）
１７ａ  中央
１８  ハード基板（補強板）
１８ａ  面（一方の面、一方側）
１８ｂ  面（他方の面、他方側）
１８ｃ、１８ｄ  端部（両端部）
１８ｅ  内側部
１９  ＦＰＣ
２０  フレーム
【図１】
2008146758.tif 000003
【図２】
2008146758.tif 000004
【図３】
2008146758.tif 000005
【図４】
2008146758.tif 000006